(57)【要約】      （修正有）【課題】ホイールに組み付けるときには剥離紙を剥離しやすいホイールバランスウェイトを提供する。【解決手段】略帯状のウェイト１と、テープ表面がウェイト裏面１ｂに固定された粘着テープ部２と、テープ裏面を被覆する剥離紙３と、を有するホイールバランスウェイトにおいて、粘着テープ部と剥離紙３の幅を調節して剥離紙３をつまみやすくしている。ホイールバランスウェイトは、組み付け作業前に剥離紙３が剥離しにくく、かつ組み付け時に剥離紙３がつまみやすいことから、取り扱いが容易となるとともにホイールバランスウェイトをホイールに組み付けるときの作業性が向上した。【選択図】図２
2007177960.tif 000002
【特許請求の範囲】
【請求項１】
背向するウェイト表面とウェイト裏面とをもつ略帯状のウェイトと、
背向するテープ表面とテープ裏面とをもち、該テープ表面が該ウェイト裏面に固定され、該テープ裏面がホイールに接着される粘着テープ部と、
該テープ裏面を剥離可能な状態で被覆する剥離紙と、
を有するホイールバランスウェイトにおいて、
該粘着テープ部は、その幅が該ウェイトの幅未満となるように形成され、
該剥離紙は、その幅が該テープ部の幅を超える長さでありかつ該ウェイトの幅以下となるように形成されたことを特徴とするホイールバランスウェイト。
【請求項２】
前記粘着テープ部および前記剥離紙のそれぞれの一方の端部は、前記ウェイトの一方の端部と一致する請求項１記載のホイールバランスウェイト。
【請求項３】
前記剥離紙は、その幅が前記ウェイトの幅と同じとなるように形成された請求項１記載のホイールバランスウェイト。
【請求項４】
背向するウェイト表面とウェイト裏面とをもつ略帯状のウェイトと、
背向するテープ表面とテープ裏面とをもち、該テープ表面が該ウェイト裏面に固定され、該テープ裏面がホイールに接着される粘着テープ部と、
少なくとも該テープ裏面を剥離可能な状態で被覆する剥離紙と、
を有するホイールバランスウェイトにおいて、
該粘着テープ部は、幅方向の一方の端部と他方の端部との間に切れ込みを有し、
該粘着テープ部の該切れ込みから該他方の端部側の突出部を少なくとも切り離した状態で該ホイールに接着されることを特徴とするホイールバランスウェイト。
【請求項５】
前記切れ込みは、前記ウェイトの幅方向の一方の端部にそって設けられた請求項４記載のホイールバランスウェイト。
【請求項６】
前記粘着テープ部の前記テープ表面が接着性をもつときに、前記突出部の表面が剥離紙で被覆された請求項４記載のホイールバランスウェイト。
【請求項７】
前記切れ込みが前記ウェイト裏面と対向した位置にもうけられ、前記粘着テープ部の一方の端部から該切れ込みまでの前記テープ表面が剥離紙で被覆された請求項６記載のホイールバランスウェイト。
【請求項８】
前記突出部に、別のウェイトをもつ請求項４記載のホイールバランスウェイト。
【発明の詳細な説明】
【技術分野】
【０００１】
本発明は、組み付け時の作業性の高いホイールバランスウェイトに関し、詳しくは、ホイールに組み付けるときに剥離紙を剥離しやすいホイールバランスウェイトに関する。
【背景技術】
【０００２】
自動車などのタイヤをホイールに組み込んだホイールアッセンブリ状態において、ホイールアッセンブリの回転軸まわりの周方向および回転軸方向のアンバランスが大きくなると、走行時に振動、騒音等の発生というような不具合が生じるようになる。この振動や騒音はホイールのアンバランスに起因するものであり、このアンバランスを打ち消すためにホイールにバランスウェイトが組み付けられている。
【０００３】
このようなホイールバランスウェイトの一つとして、特許文献１に示されたように、略帯状の平板状に形成されたウェイトを粘着テープによりホイールに接着して組み付けるホイールバランスウェイトがある。
【０００４】
また、複数のウェイト小片によりウェイトを形成したホイールバランスウェイトもある。このホイールバランスウェイトは、例えば、特許文献２に開示されている。このホイールバランスウェイトも、複数のウェイト小片を粘着テープでホイールに接着して組み付ける。
【０００５】
これらのホイールバランスウェイトは、粘着テープのホイールとの接着面を剥離紙が被覆している。この剥離紙により、ホイールに組み付ける前の状態において、接着面が保護される。そして、ホイールに組み付けるときに剥離紙を剥がして接着面を露出させ、ホイールに接着する。
【０００６】
従来のホイールバランスウェイトは、剥離紙をウェイトから剥がすときに剥離紙を容易につまむことができるように、ウェイトの幅方向の端部から突出して形成していた。つまり、ウェイトの幅方向の端部から、剥離紙のみが突出していた。
【０００７】
しかしながら、このような構成のホイールバランスウェイトにおいては、ホイールに組み付ける前の状態での取り扱いにおいて剥離紙がいろいろなものにあたって折れ曲がったり、突出した部分が引っかかって剥離紙が剥がれるという問題があった。
【特許文献１】登録実用新案第３０６６９４５号公報
【特許文献２】米国特許第６３６４４２１号明細書
【発明の開示】
【発明が解決しようとする課題】
【０００８】
本発明は上記実状に鑑みてなされたものであり、ホイールに組み付けるときには剥離紙を剥離しやすいホイールバランスウェイトを提供することを課題とする。
【課題を解決するための手段】
【０００９】
上記課題を解決するために本発明者らは粘着テープ部および剥離紙の形状について検討を重ねた結果本発明をなすに至った。本発明のホイールバランスウェイトは、略帯状のウェイトと、テープ表面がウェイト裏面に固定された粘着テープ部と、テープ裏面を被覆する剥離紙と、を有するホイールバランスウェイトにおいて、粘着テープ部と剥離紙の幅を調節して剥離紙をつまみやすくしている。
【００１０】
すなわち、本発明の第一のホイールバランスウェイトは、背向するウェイト表面とウェイト裏面とをもつ略帯状のウェイトと、背向するテープ表面とテープ裏面とをもち、テープ表面がウェイト裏面に固定され、テープ裏面がホイールに接着される粘着テープ部と、テープ裏面を剥離可能な状態で被覆する剥離紙と、を有するホイールバランスウェイトにおいて、粘着テープ部は、その幅がウェイトの幅未満となるように形成され、剥離紙は、その幅がテープ部の幅を超える長さでありかつウェイトの幅以下となるように形成されたことを特徴とする。
【００１１】
また、本発明の第二のホイールバランスウェイトは、背向するウェイト表面とウェイト裏面とをもつ略帯状のウェイトと、背向するテープ表面とテープ裏面とをもち、テープ表面がウェイト裏面に固定され、テープ裏面がホイールに接着される粘着テープ部と、少なくともテープ裏面を剥離可能な状態で被覆する剥離紙と、を有するホイールバランスウェイトにおいて、粘着テープ部は、幅方向の一方の端部と他方の端部との間に切れ込みを有し、粘着テープ部の切れ込みから他方の端部側の突出部を少なくとも切り離した状態でホイールに接着されることを特徴とする。
【発明の効果】
【００１２】
本発明のホイールバランスウェイトは、組み付け前において剥離紙が折れ曲がったり変形したりしにくくなっているので、剥離紙を容易につまむことができる。また、組み付け作業前に剥離紙が剥離しにくくなっているので、剥離紙の剥がれによる不良品の発生を防止することが容易であるとともに、組み付け時の作業性も向上することができる。
【００１３】
本発明のホイールバランスウェイトは、ホイールのリムの内周面に組み付けて使用する。そして、ホイールへの組付けは粘着テープ部が行うことから、ホイールの形状によらずに組付けを大なうことができる。つまり、本発明のホイールバランスウェイトは、自動車のホイールだけでなく、二輪車のホイールにも組み付けることができる。
【発明を実施するための最良の形態】
【００１４】
（第一発明）
本発明のホイールバランスウェイトは、ウェイトと、粘着テープ部と、剥離紙と、を有する。
【００１５】
ウェイトは、背向するウェイト表面と裏面とをもつ略帯状の部材である。ウェイトは、ホイールに組み付けられたときに、ホイールアッセンブリのアンバランスを解消する。ウェイトが略帯状であることで、ウェイト自身の厚さ方向に応力を加えて長さ方向に弧状に湾曲させることが容易となり、ホイールの湾曲形状に沿った形状に変形（湾曲）させることができる。ウェイトがホイールの形状に沿った形状に湾曲すると、ホイールバランスウェイト（ウェイト）のホイールへの密着性が向上し、よりホイールバランスウェイトがホイールから外れにくくなる。ウェイトは、所定の幅を持ち、かつ幅方向に垂直な方向にのびる短冊状（長方形状）であることが好ましい。また、ウェイトは、略帯状の厚さがほぼ均一であることが好ましい。
【００１６】
ウェイトは、その材質が限定されるものではないが、非鉛系の金属よりなることが好ましい。非鉛系の金属は、自然界に廃棄しても環境への負荷が少ない。ウェイトを形成する非鉛系の金属としては、たとえば、純鉄、鋼、ステンレス等の鉄を主成分とする鉄系金属をあげることができる。
【００１７】
粘着テープ部は、背向するテープ表面とテープ裏面とをもち、テープ表面がウェイトの裏面に固定され、テープ裏面がホイールに接着される部材である。つまり、粘着テープ部は、ホイールにウェイトを接着する。粘着テープ部は、ウェイトをホイールに接着できる部材であれば限定されるものではなく、例えば、両面テープをあげることができる。
【００１８】
粘着テープ部は、発泡樹脂等の柔軟性をもつ材質よりなる基材の両面に接着性をもつテープ表面とテープ裏面とをもつことが好ましい。基材をもつことで粘着テープ部自身が柔軟性を有するので、ウェイトの形状とホイールの形状が完全に一致していなくても、粘着テープ部自身が形状の変化を吸収し、ウェイトとホイールの密着性が増す。
【００１９】
剥離紙は、テープ裏面を剥離可能な状態で被覆する部材である。剥離紙は、ホイールバランスウェイトがホイールに組み付けられる前にテープ裏面の接着面を保護する。
【００２０】
そして、本発明のホイールバランスウェイトにおいて、粘着テープ部は、その幅がウェイトの幅より短く形成され、剥離紙は、その幅がテープ部の幅より長くかつウェイトの幅より短く形成される。ウェイト、粘着テープ部および剥離紙の幅がそれぞれ規定されることで、剥離紙を剥がし易くなる。ここで、ウェイト、粘着テープ部および剥離紙の幅とは、略帯状のウェイトの幅方向におけるそれぞれの長さを示す。
【００２１】
粘着テープ部の幅がウェイトの幅より短く形成されたことで、粘着テープ部のテープ表面がウェイト裏面に接着されたときに、幅方向の端部に粘着テープ部に被覆されないウェイト裏面が露出した部分が存在するようになる。そして、剥離紙の幅が粘着テープ部の幅より広くなることで、粘着テープ部のテープ裏面を剥離紙が被覆したときに、粘着テープ部の端部から剥離紙の幅方向の端縁部が少なくとも突出する。剥離紙のこの端縁部の突出した部分とウェイト裏面との間には、粘着テープ部の厚さに相当するすき間が存在する。そして、このすき間により、ホイールバランスウェイトの組み付け時に剥離紙を容易につまむことができ、剥離紙の剥離が容易となる。
【００２２】
粘着テープ部の幅は、ウェイトの幅より０．１〜６ｍｍ短いことが好ましい。粘着テープの幅がウェイトの幅より６ｍｍを超えて短くなると、ウェイトを接着する接着力が小さくなる。また、粘着テープの幅とウェイトの幅との差が０．１ｍｍ未満では剥離紙の突出長さが短く、剥離紙をつまみにくくなる。
【００２３】
粘着テープ部および剥離紙のそれぞれの一方の端部は、ウェイトの一方の端部と一致することが好ましい。粘着テープ部とウェイトの一方の端部が一致することで、粘着テープ部がウェイト裏面に固定されたときにウェイト裏面の他方の端部側が露出するようになる。そして、剥離紙も一方の端部が一致することで、剥離紙を剥がすときにつまむ部分（剥離紙の突出した部分）も他方の端部側に位置するようになる。ここで、粘着テープ部はウェイトをホイールに固定するためにウェイトやホイールとの接着面が広いことが好ましい。つまり、粘着テープ部の幅は広いこと（粘着テープ部の幅方向の長さは長いこと）が好ましい。粘着テープ部の幅方向の長さを長くすると、剥離紙の突出した部分（剥離紙を剥離するときにつまむ部分）の突出長さが相対的に短くなる。そして、粘着テープとウェイトの一方の端部をそろえることで、ウェイト裏面の露出する部分の幅方向の長さを最も長くでき、結果として、剥離紙の突出した部分の突出長さを最も長くできる。この結果、剥離紙をはがしやすくなる。
【００２４】
剥離紙は、その幅がウェイトの幅と同じとなるように形成されたことが好ましい。剥離紙の幅がウェイトの幅と同じとなることで、剥離紙の突出した部分を最も長くすることができる。また、剥離紙の幅がウェイトの幅よりも長くなると、剥離紙の端縁部がウェイトの幅方向の端部から突出することとなり、このウェイトから突出した部分が折れ曲がって剥離紙をつまみにくくなったり、剥離紙が引っかかって剥離したりする不具合が発生する。
【００２５】
本発明のホイールバランスウェイトにおいてウェイトは、略帯状の幅方向にのびる溝部を有することが好ましい。ウェイトが溝部を有することで、ホイールバランスウェイトをホイールに組み付けるときに、ウェイトをホイールの内周面の湾曲した形状に一致する形状に変形させることを容易に行うことができる。より具体的には、本発明のホイールバランスウェイトは、ウェイトの長さ方向がホイールの内周面の周方向に一致した状態で組み付けられる。つまり、ウェイトは、長さ方向が弧状に湾曲した状態で組み付けられる。そして、ウェイトに溝部が形成されると、ウェイトを湾曲させるために力を加えたときにこの溝部に力が集中し、溝部においてウェイトが湾曲し、より小さな力で所定の湾曲形状とすることができる。
【００２６】
さらに、溝部をもつことで、ウェイトの重量の調節を簡単に行うことができる。具体的には、溝部においてウェイトの厚さが部分的に薄くなっており、この部分は、それ以外の部分（厚さが薄くない部分）よりも切断を簡単に行うことができる。さらに、溝部を開く方向と閉じる方向に繰り返し応力を付与する（折り返しを繰り返す）ことで、溝部で破断を生じさせてウェイトを切断することができる。つまり、特別な工具を用いることなく、手作業でウェイトの重量の調節を行うことができる。
【００２７】
溝部は、溝部に挟まれた部分の重量が所定の重量となる間隔で設けられることが好ましい。ここで、溝部に挟まれた部分とは、帯状のウェイトの長さ方向に並んだ隣接した溝部に挟まれた部分である。そして溝部に挟まれた部分の重量が所定の重量となることで、ウェイトの重量の調節を簡単に行うことができる。
【００２８】
溝部は、ウェイト表面とウェイト裏面のどちらか一方に形成しても、両面に形成してもいずれでもよい。また、溝部の形状（断面形状）についても特に限定されるものではない。たとえば、断面略Ｖ字状、略Ｕ字状、略凹字状のいずれの断面形状でもよい。
【００２９】
ウェイトは、ホイールの内周面に沿った弧状に形成されていることが好ましい。本発明のホイールバランスウェイトは、ホイールのリムの内周面に装着するため、このリムの内周面に沿って湾曲しているとホイールへの装着を容易にできる。このとき、ウェイトの溝部に挟まれた部分もそれぞれ略弧状に湾曲していることが好ましい。
【００３０】
ウェイトは、その表面に識別表示を有することが好ましい。この識別表示としては、たとえば、ウェイトの重量やウェイトの重心をあげることができる。ウェイトの重心位置を表示しておけば、ホイールバランスウェイトをホイールに組み付けるときの位置決めを簡単に行うことができる。ウェイトの重量を表示しておけば、所望の重量のウェイトを簡単に識別、選択することができるようになる。さらに、ウェイトの溝部に挟まれた部分ごとの重量を表示しておけば、ウェイトを切断して所望の重量のウェイトを簡単に得ることができる。
【００３１】
ウェイトは、表面処理が施されていることが好ましい。ウェイトに表面処理を施すことで、ウェイトの見た目をきれいにするとともに、ウェイトに錆が生じたりすることを防止できる。このような表面処理としては、鉄系金属よりなるウェイトに施す亜鉛クロメート処理、銀粉塗装、クロムメッキ、焼付型亜鉛化合物複合被膜等の表面処理をあげることができる。
【００３２】
（第二発明）
本発明のホイールバランスウェイトは、ウェイトと、粘着テープ部と、剥離紙と、を有する。
【００３３】
ウェイトは、背向するウェイト表面と裏面とをもつ略帯状の部材である。ウェイトは、ホイールに組み付けられたときに、ホイールアッセンブリのアンバランスを解消する。ウェイトが略帯状であることで、ウェイト自身の厚さ方向に応力を加えて長さ方向に弧状に湾曲させることが容易となり、ホイールの湾曲形状に沿った形状に変形（湾曲）させることができる。ウェイトがホイールの形状に沿った形状に湾曲すると、ホイールバランスウェイト（ウェイト）のホイールへの密着性が向上し、よりホイールバランスウェイトがホイールから外れにくくなる。ウェイトは、所定の幅を持ち、かつ幅方向に垂直な方向にのびる短冊状（長方形状）であることが好ましい。また、ウェイトは、略帯状の厚さがほぼ均一であることが好ましい。
【００３４】
ウェイトは、その材質が限定されるものではないが、非鉛系の金属よりなることが好ましい。非鉛系の金属は、自然界に廃棄しても環境への負荷が少ない。ウェイトを形成する非鉛系の金属としては、たとえば、純鉄、鋼、ステンレス等の鉄を主成分とする鉄系金属をあげることができる。
【００３５】
粘着テープ部は、背向するテープ表面とテープ裏面とをもち、テープ表面がウェイトの裏面に固定され、テープ裏面がホイールに接着される部材である。つまり、粘着テープ部は、ホイールにウェイトを接着する。粘着テープ部は、ウェイトをホイールに接着できる部材であれば限定されるものではなく、例えば、両面テープをあげることができる。
【００３６】
粘着テープ部は、発泡樹脂等の柔軟性をもつ材質よりなる基材の両面に接着性をもつテープ表面とテープ裏面とをもつことが好ましい。基材をもつことで粘着テープ部自身が柔軟性を有するので、ウェイトの形状とホイールの形状が完全に一致していなくても、粘着テープ部自身が形状の変化を吸収し、ウェイトとホイールの密着性が増す。
【００３７】
剥離紙は、少なくともテープ裏面を剥離可能な状態で被覆する部材である。剥離紙は、ホイールバランスウェイトがホイールに組み付けられる前にテープ裏面の接着面を保護する。
【００３８】
そして、本発明のホイールバランスウェイトにおいて、粘着テープ部は、幅方向の一方の端部と他方の端部との間に切れ込みを有し、粘着テープ部の切れ込みから他方の端部側の突出部を少なくとも切り離した状態でホイールに接着される。
【００３９】
本発明のホイールバランスウェイトは、ホイールに組み付ける前の状態では粘着テープ部の幅方向の端部に突出部を有する。そして、ホイールに組み付けるときにこの突出部を切り離す。つまり、突出部（および剥離紙）をつまむ。ホイールに組み付ける前の状態では、突出部は、粘着テープ部と剥離紙とから形成される。つまり、突出部は高い強度をもつ。この強度により、ウェイトから突出した部分が折れ曲がりや変形を生じにくくなり、ホイールに組み付けるときにつまみやすくなる。
【００４０】
そして、本発明のホイールバランスウェイトは、ウェイトから突出した突出部を取り除いた状態でホイールに組み付ける。これにより、ホイールバランスウェイトをホイールに組み付けたときの見栄えの低下が抑えられる。
【００４１】
粘着テープ部は、突出部を切り離すための切れ込みを有する。粘着テープ部が切れ込みを有することで、切れ込みで粘着テープ部を切断でき、簡単に突出部を取り除くことができる。
【００４２】
粘着テープ部に形成される切れ込みは、粘着テープ部のテープ裏面は剥離紙で被覆されていることから、テープ表面に形成されることが好ましい。切れ込みは少なくとも突出部を切り離すことができるように形成されていればよく、その形状が特に限定されるものではない。たとえば、断面略Ｖ字状、略Ｕ字状、略凹字状等の溝や、粘着テープ部に形成されたミシン目をあげることができる。
【００４３】
粘着テープ部の幅方向において切れ込みの形成される場所は、特に限定されるものではない。しかし、突出部を取り除いたときにウェイトをホイールに接着・固定するために十分な粘着テープ部の量を確保することが必要である。
【００４４】
粘着テープ部は、その幅が特に限定されるものではないが、その幅がウェイトの幅以上であることが好ましい。また、本発明のホイールバランスウェイトは、粘着テープ部のウェイト接着部分の幅がウェイトの幅と一致することが好ましい。また、本発明のホイールバランスウェイトは、粘着テープ部の他方の端部側がウェイトの他方の端部より突出していることが好ましい。
【００４５】
切れ込みは、ウェイトの幅方向の一方の端部にそって設けられたことが好ましい。切れ込みがウェイトの幅方向の端部にそって設けられることで、突出部を切り離したときに、粘着テープ部がウェイト裏面の全面に固定された状態で残る。つまり、ホイールとの接触面積を大きく保持できる。
【００４６】
粘着テープ部のテープ表面が接着性をもつときに、突出部のテープ表面が剥離紙で被覆されていることが好ましい。突出部のテープ表面が接着性をもつときにこのテープ表面にも剥離紙を配することで、突出部の取り扱いが簡単になる。つまり、突出部のテープ表面が不必要な部位に接着しなくなる。ここで、突出部のテープ表面を被覆する剥離紙は、テープ裏面を被覆する剥離紙と一体であっても別体であってもいずれでもよい。
【００４７】
切れ込みがウェイト裏面と対向した位置に設けられ、粘着テープ部の一方の端部から切れ込みまでのテープ表面が剥離紙で被覆されていることが好ましい。切れ込みがウェイト裏面に対向した位置に設けられることで、ホイールに組み付けるときに切り離される部分の長さが長くなり、突出部を手でつまみやすくなり作業性が向上する。さらに、切れ込みがウェイト裏面に対向した位置に設けられることで、ホイールに組み付けるときの粘着テープ部の幅がウェイトの幅より短くなる。粘着テープ部の幅が短くなると、ホイールバランスウェイトをホイールに装着した状態で粘着テープ部を視認しにくくなり、見栄えが向上する。
【００４８】
本発明のホイールバランスウェイトは、突出部に、別のウェイトをもつことが好ましい。つまり、ひとつの粘着テープ部を二つのウェイトで共用することで、一方のウェイトをホイールに組み付けるときに他方のウェイトをつまむことができ、作業性が向上する。
【００４９】
本発明のホイールバランスウェイトにおいてウェイトは、略帯状の幅方向にのびる溝部を有することが好ましい。ウェイトが溝部を有することで、ホイールバランスウェイトをホイールに組み付けるときに、ウェイトをホイールの内周面の湾曲した形状に一致する形状に変形させることを容易に行うことができる。より具体的には、本発明のホイールバランスウェイトは、ウェイトの長さ方向がホイール内周面の周方向と一致した状態で組み付けられる。つまり、ウェイトは、その長さ方向に弧状に湾曲した状態で組み付けられる。そして、ウェイトに溝部が形成されると、ウェイトを湾曲させるために力を加えたときにこの溝部に力が集中し、溝部においてウェイトが湾曲するので、より小さな力で所定の湾曲形状とすることができる。
【００５０】
さらに、溝部をもつことで、ウェイトの重量の調節を簡単に行うことができる。具体的には、溝部においてウェイトの厚さが部分的に薄くなっており、この部分は、それ以外の部分（厚さが薄くない部分）よりも切断を簡単に行うことができる。さらに、溝部を開く方向と閉じる方向に繰り返し応力を付与する（折り返しを繰り返す）ことで、溝部で破断を生じさせてウェイトを切断することができる。つまり、特別な工具を用いることなく、手作業でウェイトの重量の調節を行うことができる。
【００５１】
溝部は、溝部に挟まれた部分の重量が所定の重量となる間隔で設けられることが好ましい。ここで、溝部に挟まれた部分とは、帯状のウェイトの長さ方向に並んだ隣接した溝部に挟まれた部分である。そして溝部に挟まれた部分の重量が所定の重量となることで、ウェイトの重量の調節を簡単に行うことができる。
【００５２】
溝部は、ウェイト表面とウェイト裏面のどちらか一方に形成しても、両面に形成してもいずれでもよい。また、溝部の形状（断面形状）についても特に限定されるものではない。たとえば、断面略Ｖ字状、略Ｕ字状、略凹字状のいずれの断面形状でもよい。
【００５３】
ウェイトは、ホイールの内周面に沿った弧状に形成されていることが好ましい。本発明のホイールバランスウェイトは、ホイールのリムの内周面に装着するため、このリムの内周面に沿って湾曲しているとホイールへの装着を容易にできる。このとき、ウェイトの溝部に挟まれた部分もそれぞれ略弧状に湾曲していることが好ましい。
【００５４】
ウェイトは、その表面に識別表示を有することが好ましい。この識別表示としては、たとえば、ウェイトの重量やウェイトの重心をあげることができる。ウェイトの重心位置を表示しておけば、ホイールバランスウェイトをホイールに組み付けるときの位置決めを簡単に行うことができる。ウェイトの重量を表示しておけば、所望の重量のウェイトを簡単に識別、選択することができるようになる。さらに、ウェイトの溝部に挟まれた部分ごとの重量を表示しておけば、ウェイトを切断して所望の重量のウェイトを簡単に得ることができる。
【００５５】
ウェイトは、表面処理が施されていることが好ましい。ウェイトに表面処理を施すことで、ウェイトの見た目をきれいにするとともに、ウェイトに錆が生じたりすることを防止できる。このような表面処理としては、鉄系金属よりなるウェイトに施す亜鉛クロメート処理、銀粉塗装、クロムメッキ、焼付型亜鉛化合物複合被膜等の表面処理をあげることができる。
【実施例】
【００５６】
以下、実施例を用いて本発明を説明する。
【００５７】
本発明の実施例としてホイールバランスウェイトを作製した。
【００５８】
（実施例１）
本実施例は、図１〜２に示されたホイールバランスウェイトである。本実施例のホイールバランスウェイトの斜視図を図１に、図１中のＩ−Ｉ断面での断面を図２に示した。
【００５９】
本実施例のホイールバランスウェイトは、ウェイト１、両面接着テープ２および剥離紙３から構成される。
【００６０】
ウェイト１は、幅：１５〜２５ｍｍ、厚さ：２〜６ｍｍ、長さ：５〜２００ｍｍの帯状の鉄板を成形して基材１０を形成し、基材１０の表面に焼付型亜鉛化合物複合被膜１２が形成されてなる。このウェイト１は、その表面１ａに溝部１１が設けられている。この溝部１１は、開口部の幅が０．５〜５ｍｍ、深さが１．９〜５．９ｍｍのＶ字状に形成されている。そして、ウェイト１は、帯の長さ方向に弧状となるように湾曲している。このとき、ウェイト１の溝部１１に区画された部分も弧状に湾曲している。
【００６１】
両面接着テープ２は、弾性および柔軟性をもつ発泡樹脂よりなる帯状の基材２０の背向した両面に接着面が形成されている。両面接着テープ２は、幅：９〜２５ｍｍ、厚さ：０．５〜１．６ｍｍ、長さ：５〜２００ｍｍの帯状に形成されている。ここで、この両面接着テープ２は、従来のホイールバランスウェイトにも用いられている通常の両面接着テープが用いられている。
【００６２】
両面接着テープ２は、テープ表面２ａがウェイト１の裏面１ｂに接着・固定されている。このとき、両面接着テープ２は、幅方向の一方の端部２ｃが、ウェイト１の幅方向の一方の端部１ｃと一致する状態で接着・固定されている。
【００６３】
両面接着テープ２のテープ裏面２ｂは、剥離紙３に被覆されている。剥離紙３は、ウェイト１と同じ大きさの帯状に形成されている。具体的には、剥離紙３は、幅：１５〜３１ｍｍ、厚さ：０．０１〜０．１ｍｍ、長さ：５〜２００ｍｍの帯状に形成されている。この剥離紙３は、幅方向の一方の端部３ｃが、ウェイト１の幅方向の一方の端部１ｃおよび両面接着テープ２の幅方向の一方の端部２ｃと一致する状態でテープ裏面２ｂを被覆している。
【００６４】
本実施例のホイールバランスウェイトは、図２に示したように、ウェイト１の幅方向の他方の端部１ｄ側は、０．１〜０．６ｍｍウェイト裏面１ｂが露出している。また、剥離紙３の幅方向の他方の端部３ｄが露出している。
【００６５】
（ホイールバランスウェイトの組み付け）
実施例１のホイールバランスウェイトを以下の手順により実際にホイールに組み付けた。ここで、実施例１のホイールバランスウェイトがホイールの内周面に組み付けられた状態を図３に示した。
【００６６】
まず、実施例のホイールバランスウェイトから、剥離紙３をはがして、両面接着テープ２のテープ裏面２ｂを露出させる。つづいて、この露出したテープ裏面２ｂをホイール４のリムの内周面の所定の位置に貼り付ける。このとき、ウェイト１をホイール４のリムの内周面４ａに押し付けて溝部１１において変形を生じさせることで、ウェイト１をホイール４のリムの内周面４ａになじませることができた。さらに、本実施例のホイールバランスウェイトは、両面接着テープ２が柔軟性と弾性とを有することで、ウェイト１の変形（湾曲）により生じたウェイト１のウェイト裏面１ｂの表面の凹凸が吸収され、高い密着性で接着された。これにより、本実施例のホイールバランスウェイトをホイールに組み付けることができた。
【００６７】
本実施例のホイールバランスウェイトは、ホイール４に組み付けるために剥離紙３を剥がすときに、剥離紙３の端部３０を簡単につまむことができ、剥離紙３を簡単に剥離することができた。つまり、ウェイト１の幅方向の他方の端部１ｄ側には、ウェイト裏面１と剥離紙３との間に両面接着テープ２の厚さに相当するすき間が形成されており、このすき間に指先を差し込むことで剥離紙３の他方の端部３ｄを簡単につまむことができた。さらに、本実施例のホイールバランスウェイトは、剥離紙３がウェイト１の幅方向の端部から突出して形成されていないため、剥離紙３が折れ曲がったり、変形したりしておらず、容易につまむことができた。この結果、本実施例のホイールバランスウェイトは、ホイールバランスウェイトの組み付け時の作業性が向上した。
【００６８】
また、本実施例のホイールバランスウェイトは、ホイール４に組み付ける作業前に剥離紙３が剥離しにくくなっているため、剥離紙剥がれによる不良品の発生を防止することができる。つまり、本実施例のホイールバランスウェイトは、組み付け作業前の取り扱いが容易となっている。
【００６９】
加えて、本実施例のホイールバランスウェイトは、両面接着テープ２の幅を短くすることができ、両面接着テープ２に要するコストを低減できた。
【００７０】
（実施例２）
本実施例は、図４にその断面形状が示されたホイールバランスウェイトである。
【００７１】
本実施例は、剥離紙３の幅が異なる以外は、実施例１と同様な構成のホイールバランスウェイトである。本実施例の剥離紙３は、幅が１４〜２４ｍｍであり、ウェイト１の幅より０．１〜１．０ｍｍ短く形成されている。そして、この剥離紙３は、一方の端部３ｃがウェイト１の一方の端部１ｃおよび両面接着テープ２の一方の端部２ｃと一致するように組み付けられている。
【００７２】
本実施例においても、実施例１の時と同様に剥離紙３を簡単に剥離できた。つまり、本実施例においても、実施例１と同様に、組み付け時の作業性が向上する効果が発揮された。
【００７３】
また、本実施例のホイールバランスウェイトにおいても、実施例１の時と同様に、組み付け作業前の取り扱いが容易となる効果を発揮した。
【００７４】
（実施例３）
本実施例は、図５に示されたホイールバランスウェイトである。
【００７５】
本実施例は、ウェイト１の溝部１１が異なる以外は実施例１と同様な構成のホイールバランスウェイトである。本実施例のウェイト１に設けられたそれぞれの溝部１１は、開口部の幅が０．１〜６ｍｍ、深さが１．９〜５．９ｍｍの断面Ｕ字状に形成されている。また、本実施例のウェイト１の溝部１１は、ウェイト１のウェイト表面１ａとウェイト裏面１ｂの両面に形成されている。
【００７６】
本実施例においても、実施例１の時と同様に剥離紙３を簡単に剥離できた。つまり、本実施例においても、実施例１と同様に、組み付け時の作業性が向上する効果が発揮された。さらに、本実施例のホイールバランスウェイトは、ウェイト１を湾曲させることで裏面１ｂに開口した溝部１１の開口幅が変化しても、両面接着テープ２の柔軟性と弾性とにより開口幅の変化が吸収され、高い密着性で接着された。
【００７７】
また、本実施例のホイールバランスウェイトにおいても、実施例１の時と同様に、組み付け作業前の取り扱いが容易となる効果を発揮した。
【００７８】
（実施例４）
本実施例は、図６〜７に示されたホイールバランスウェイトである。本実施例のホイールバランスウェイトの斜視図を図６に、図６中のＩＩ−ＩＩ断面での断面を図７に示した。
【００７９】
本実施例のホイールバランスウェイトは、ウェイト１、両面接着テープ２および剥離紙３から構成される。
【００８０】
ウェイト１は、幅：５〜２５ｍｍ、厚さ：２〜６ｍｍ、長さ：５〜２００ｍｍの帯状の鉄板を成形した基材１０と、基材１０の表面に焼付型亜鉛化合物複合被膜１２が形成されてなる。このウェイト１は、その表面１ａに溝部１１が設けられている。この溝部１１は、開口部の幅が０．１〜６ｍｍ、深さが１．９〜５．９ｍｍのＶ字状に区画されている。そして、ウェイト１は、帯の長さ方向に弧状となるように湾曲している。このとき、ウェイト１の溝部１１に区画された部分１２も弧状に湾曲している。
【００８１】
両面接着テープ２は、弾性および柔軟性をもつ発泡樹脂よりなる帯状の基材２０の背向した両面に接着面が形成されている。両面接着テープ２は、幅：１５〜３１ｍｍ、厚さ：０．５〜１．６ｍｍ、長さ：５〜２００ｍｍの帯状に形成されている。ここで、この両面接着テープ２は、従来のホイールバランスウェイトにも用いられている通常の両面接着テープが用いられている。
【００８２】
両面接着テープ２は、テープ表面２ａがウェイト１の裏面１ｂに接着・固定されている。両面接着テープ２は、幅方向の一方の端部２ｃが、ウェイト１の幅方向の一方の端部１ｃと一致する状態で接着・固定されている。ここで、両面接着テープ２は、ウェイト１より幅が広く形成されており、ウェイト１の裏面１ｂに固定された状態では他方の端部２ｄ側が突出した突出部２１を形成している。
【００８３】
両面接着テープ２のテープ裏面２ｂおよび突出部２１の表面は、剥離紙３に被覆されている。剥離紙３は、両面接着テープ２のテープ裏面２ｂに対応した帯状の剥離紙３０と、突出部２１の表面に対応した帯状の剥離紙３１と、を有する。
【００８４】
剥離紙３０は、一方の端部３０ｃがウェイト１の一方の端部１ｃおよび両面接着テープ２の一方の端部２ｃと一致するように組み付けられている。剥離紙３１は、他方の端部３１ｄが両面接着テープ２の他方の端部２ｄおよび剥離紙３０の他方の端部３０ｄと一致するように組み付けられている。
【００８５】
さらに、本実施例のホイールバランスウェイトにおいては、両面接着テープ２のテープ表面２ａには切れ込み２２が形成されている。切れ込み２２は、両面接着テープ２がウェイト１に固定された状態で、ウェイト１の幅方向の他方の端部１ｄにそって形成されている。切れ込み２２は、開口部の幅が０．１〜６ｍｍ、深さが０．５〜１．６ｍｍのＶ字状に区画されている。
【００８６】
（ホイールバランスウェイトの組み付け）
実施例４のホイールバランスウェイトを以下の手順により実際にホイールに組み付けた。
【００８７】
まず、実施例のホイールバランスウェイトから、突出部２１を切り離すとともに剥離紙３０をはがして、両面接着テープ２をウェイト１の裏面１ｂに対応した形状とするとともにこの部分のテープ裏面２ｂを露出させる。つづいて、この露出したテープ裏面２ｂをホイール４のリムの内周面の所定の位置に貼り付ける。このとき、ウェイト１をホイール４のリムの内周面４ａに押し付けて溝部１１において変形を生じさせることで、ウェイト１をホイール４のリムの内周面４ａになじませることができた。これにより、本実施例のホイールバランスウェイトをホイールに組み付けることができた。
【００８８】
本実施例のホイールバランスウェイトにおいては、ホイール４に組み付けるために剥離紙３を剥がすときには、ウェイト１から幅方向に突出した両面接着テープ２の突出部２１に対応した部分をつまみ、突出部２１を切り離す。このとき、つままれる突出部２１に対応した部分は、剥離紙３と突出部２１の合計の厚さをもつ。このため、ウェイト１から突出した部分が強度をもつこととなり、曲がりや変形が生じなくなっている。つまり、組み付け時にこの突出した部分を簡単につまむことができ、組み付け時の作業性が向上した。
【００８９】
また、本実施例のホイールバランスウェイトは、ホイール４に組み付ける作業前に剥離紙３が剥離しにくくなっているため、剥離紙剥がれによる不良品の発生を防止することができる。つまり、本実施例のホイールバランスウェイトは、組み付け作業前の取り扱いが容易となっている。
【００９０】
（実施例５）
本実施例は、図８にその断面形状が示されたホイールバランスウェイトである。
【００９１】
本実施例は、両面接着テープ２の切れ込み２２の形状が異なる以外は、実施例４と同様な構成のホイールバランスウェイトである。本実施例の切れ込み２２は、断面がＶ字状を有し、かつＶ字状を区画する一対の側壁面のうち、一方の端部２ｃ側の側壁面がウェイト１の幅方向の他方の端部１ｄに沿って厚さ方向に広がる状態で形成されている。
【００９２】
本実施例においても、実施例４の時と同様に突出部２１に対応した部分を簡単につまむことができた。つまり、本実施例においても、実施例４と同様に、組み付け時の作業性が向上する効果が発揮された。
【００９３】
また、本実施例のホイールバランスウェイトにおいても、実施例４の時と同様に、組み付け作業前の取り扱いが容易となる効果を発揮した。
【００９４】
さらに、本実施例は、両面接着テープ２の突出部２１を切り離した後の端面がほぼ平面となり、ホイールに装着したときの見栄えが向上した。
【００９５】
（実施例６）
本実施例は、図９にその断面形状が示されたホイールバランスウェイトである。
【００９６】
本実施例は、両面接着テープ２の切れ込み２２の形成された位置が異なる以外は、実施例４と同様な構成のホイールバランスウェイトである。本実施例の切れ込み２２は、ウェイト１の幅方向の他方の端部１ｄから一方の端部１ｃ側に０．１〜１０ｍｍの位置に形成されている。なお、本実施例においては、突出部２１を被覆する剥離紙３１は、ウェイト１の裏面１ｂに対向した位置にも存在する。つまり、ウェイト１の他方の端部１ｄ側は、ウェイト１と両面接着テープ２との間に剥離紙３１が存在する。
【００９７】
本実施例においても、実施例４の時と同様に突出部２１に対応した部分を簡単につまむことができた。つまり、本実施例においても、実施例４と同様に、組み付け時の作業性が向上した。
【００９８】
また、本実施例のホイールバランスウェイトにおいても、実施例４の時と同様に、組み付け作業前の取り扱いが容易となる効果を発揮した。
【００９９】
（実施例７）
本実施例は、図１０にその断面形状が示されたホイールバランスウェイトである。
【０１００】
本実施例は、両面接着テープ２の幅が異なる以外は、実施例６と同様な構成のホイールバランスウェイトである。本実施例の両面接着テープ２は、ウェイト１の幅と同じ幅となるように形成されている。つまり、両面接着テープ２の一方の端部２ｃ、ウェイト１の一方の端部１ｃおよび剥離紙３０の一方の端部３０ｃが一致し、両面接着テープ２の他方の端部２ｄ、ウェイト１の他方の端部１ｄおよび剥離紙３０，３１の他方の端部３０ｄ，３１ｄとが一致する。
【０１０１】
本実施例においても、実施例６の時と同様に突出部２１に対応した部分を簡単につまむことができた。つまり、本実施例においても、実施例６と同様に、組み付け時の作業性が向上した。
【０１０２】
また、本実施例のホイールバランスウェイトにおいても、実施例６の時と同様に、組み付け作業前の取り扱いが容易となる効果を発揮した。
【０１０３】
（実施例８）
本実施例は、図１１にその断面形状が示されたホイールバランスウェイトである。
【０１０４】
本実施例のホイールバランスウェイトは、二つのウェイト１，１’、両面接着テープ２および剥離紙３から構成される。
【０１０５】
二つのウェイト１，１’は、同じ形状に形成されている。二つのウェイト１，１’のそれぞれは、実施例４のウェイトと同様に形成されたウェイトである。
【０１０６】
両面接着テープ２は、弾性および柔軟性をもつ発泡樹脂よりなる帯状の基材２０の背向した両面に接着面が形成されている。両面接着テープ２は、幅：３０〜６０ｍｍ、厚さ：０．５〜１．６ｍｍ、長さ：５〜２００ｍｍの帯状に形成されている。ここで、この両面接着テープ２は、実施例４の両面接着テープと同じテープである。
【０１０７】
両面接着テープ２のテープ表面２ａには、二つのウェイト１，１’がそれぞれの裏面１ｂ，１’ｂが接着・固定されている。両面接着テープ２は、幅方向の一方の端部２ｃがウェイト１の幅方向の一方の端部１ｃと一致する状態で、他方の端部２ｄがウェイト１’の幅方向の他方の端部１’ｄと一致する状態で接着・固定されている。
【０１０８】
両面接着テープ２のテープ裏面２ｂは、剥離紙３に被覆されている。剥離紙３は、両面接着テープ２のテープ裏面２ｂに対応した帯状を有する。
【０１０９】
さらに、本実施例のホイールバランスウェイトは、両面接着テープ２のテープ表面２ａであって、二つのウェイト１，１’に挟まれた部分には切れ込み２２が形成されている。つまり、本実施例のホイールバランスウェイトは、二つのウェイト１，１’の間隔は、切れ込み２２の開口部の幅となるように形成されている。なお、切れ込み２２は、開口部の幅が０．１〜６ｍｍ、深さが０．５〜１．６ｍｍのＶ字状に形成されている。
【０１１０】
本実施例は、実施例４のホイールバランスウェイトにおいて突出部２１にウェイト１’が接着・固定された構成を有している。つまり、突出部２１に対応した部分がさらにつまみやすくなっている。このことから、実施例４と同様に組み付け時の作業性が向上する効果を発揮する。
【０１１１】
また、本実施例のホイールバランスウェイトにおいても、実施例４の時と同様に、組み付け作業前の取り扱いが容易となる効果を発揮した。
【０１１２】
さらに、本実施例は、実施例４の突出部にウェイト１’が接着・固定された構成を有することで、両面接着テープ２に不要な部分（廃棄される部分）が発生しなくなっている。つまり、両面接着テープ２に要するコストを低減できる。
【図面の簡単な説明】
【０１１３】
【図１】実施例１のホイールバランスウェイトを示した図である。
【図２】実施例１のホイールバランスウェイトの断面図である。
【図３】実施例１のホイールバランスウェイトをホイールに組み付けた状態を示した図である。
【図４】実施例２のホイールバランスウェイトの断面図である。
【図５】実施例３のホイールバランスウェイトを示した図である。
【図６】実施例４のホイールバランスウェイトを示した図である。
【図７】実施例４のホイールバランスウェイトの断面図である。
【図８】実施例５のホイールバランスウェイトの断面図である。
【図９】実施例６のホイールバランスウェイトの断面図である。
【図１０】実施例７のホイールバランスウェイトの断面図である。
【図１１】実施例８のホイールバランスウェイトの断面図である。
【符号の説明】
【０１１４】
１，１’：ウェイト              １０：基材
１１：溝部                      １２：焼付型亜鉛化合物複合被膜
２：両面接着テープ              ２０：基材
２１：突出部                    ２２：切れ込み
３，３０，３１：剥離紙
４：ホイール
【図１】
2007177960.tif 000003
【図２】
2007177960.tif 000004
【図３】
2007177960.tif 000005
【図４】
2007177960.tif 000006
【図５】
2007177960.tif 000007
【図６】
2007177960.tif 000008
【図７】
2007177960.tif 000009
【図８】
2007177960.tif 000010
【図９】
2007177960.tif 000011
【図１０】
2007177960.tif 000012
【図１１】
2007177960.tif 000013